(57)【特許請求の範囲】
【請求項１】
キャビネット等の本体１の前側下部にフットペダル２を設け、該フットペダル２を踏み付ける操作によってキャスター４の回転を停止、解除することができるキャスターロック装置において、フットペダル２に連設した回転棒９の傾動によって、摺動自在のストッパ１５内のバネ２１に抗して縮幅してキャスター４を両側から挟持ストップし、この踏み付け操作によって挟持ストップさせた状態を維持し、さらに、フットペダル２の踏み付け操作によって作動する連動具１４が設けられ、該連動具１４は、カム溝２８と係止凹部を有し、前記カム溝２８にはフットペダル２に固設した軸２７が係合し、前記係止凹部はフットペダル２の受け板に形成した係止突起と係止できるように、前記カム溝２８を案内に回動してフットペダル２の踏み付けを解除すると、スプリング力でフットペダル２の受け板１１に形成した係止突起が前記連動具１４の係止凹部に係合するようにしたことを特徴とするキャビネット等におけるキャスターロック装置。
【発明の詳細な説明】
【０００１】
【発明の属する技術分野】
本発明は極めて簡単な構造で、固定のキャスターの両側外側面をゴム等からなる挟圧片で挟持してキャスターをストップさせ、ストッパ部材をフットペダルの踏み込み操作だけで作動させるワゴン、サイドテーブル、キャビネット等におけるキャスターロック装置に関するものである。
【０００２】
【従来の技術】
従来、この種のキャビネット等におけるキャスターロック装置としては、２個のキャスター自体にカバー等を介して取り付けた足踏み式ペダルを直接踏んで押し下げることによりロックできるものが存在している。
【０００３】
また、ワゴン本体上部からキャスターへストップ機構を連結したもの、例えば「テーブル本体の上部に取付けた天板の一端側に凹所を設けこの凹所の握り杆摺動口から前記テーブル本体の他端側下部の両側に配置された車輪へ向けてこの車輪の制動を行う握り杆を上下動可能に挿入したサイドテーブルにおいて、前記の握り杆が押下げ時に到達する位置の上部側に、前記の車輪を制動する車輪ストッパーを上下の揺動可能に配置し、前記した同じ到達位置の下部側には、引出のロツクを行う凸片を揚動するロツク解除板を一端側の自重降下が可能なように配置するとともに、前記の凸片を下端に装着したロツク板の上端には外部と連通する一端に施錠具を取付けたロツク棒の他端を旋回可能に連結したサイドテーブルの制動装置」（実開昭６２−１８３７２８号公報参照）が存在している。
【０００４】
また、「下面前後部の一方に回転式キャスターを設け、他方に固定式コロを設け、固定式コロの回転を規制するストッパー部とストッパー部を操作する操作部とからなるストッパー機構を設けてなる移動収納庫であって、ストッパー部と操作部とをワイヤー連係し、固定式コロを下面前後部のうちの後部に配置し、操作部を収納庫上部前側へ配置し、ストッパー部を、固定式コロの内側に設けた被係合部に固定式コロの回転軸芯方向に移動して係合及び係合解除操作可能な係合部とから構成し、係合部を固定式コロの回転軸芯方向視において固定式コロの外周端面よりも内周側へ配置した移動収納庫」（特開平８−２９４４１８号公報参照）が存在している。
【０００５】
さらに、本体下部に操作部を設けてキャスターをストップさせるものとして、「ワゴンの底部に車輪とストッパ機構とを設けてあり、上記車輪は係止部を形成すると共に上記底部に取付けられている車輪に設けられており、上記ストッパ機構は、上記底部の端部にピンを中心として揺動可能に取り付けられている操作部と、この操作部と一端で連結しておりかつ操作部の操作により長手方向に移動可能の伝達部と、この伝達部の他端部にピンを介して連結し、端部にストッパ部を備えている規制部とからなり、上記ストッパ部は係止部に係合可能であるワゴン」（実開平４−１０１６３２号公報参照）が存在している。
【０００６】
【発明が解決しようとする課題】
しかしながら、従来の技術においては、２個の各々のキャスター自体にロック装置がついているため、キャスターの回転を停止させる際には、足で踏みつけることで操作できるが、回転させるように解除する際には、足ではなかなか解除することができないため、しゃがんで手で操作して解除することになり、大変不便である問題があった。
【０００７】
また、ワゴン等の本体上部からハンドルの操作でキャスターへのストップ機構を作動させるものは、その構成が複雑であり、組立作業が大変であるという問題があった。また、実開平４−１０１６３２号公報に示されている本体下部に操作部を設けてキャスターをストップさせるものは、構成上、足（つま先）での操作は困難で手での操作を行わないとキャスターのストップ操作はできないという問題があった。
【０００８】
本発明は、これらの点に鑑み、簡単な構成により、足の踏み込みだけの操作でキャスターのロック装置の係脱操作が行えるようにしたキャビネット等におけるキャスターロック装置を提供することを目的とするものである。
【０００９】
【課題を解決するための手段】
本発明は、前記課題の解決を図ったもので、次のような技術手段を採用した。請求項１記載の発明においては、キャビネット等におけるキャスターロック装置において、キャビネット等の本体１の前側下部にフットペダルを設け、該フットペダルを踏み付ける操作によってキャスターの回転を停止、解除することができるキャスターロック装置において、フットペダルに連設した回転棒の傾動によって、摺動自在のストッパ内のバネに抗して縮幅してキャスターを両側から挟持ストップし、この踏み付け操作によって挟持ストップさせた状態を維持し、さらに、フットペダルの踏み付け操作によって作動する連動具が設けられ、該連動具は、カム溝と係止凹部を有し、前記カム溝にはフットペダルに固設した軸が係合し、前記係止凹部はフットペダルの受け板に形成した係止突起と係止できるように、前記カム溝を案内に回動してフットペダルの踏み付けを解除すると、スプリング力でフットペダルの受け板に形成した係止突起が前記連動具の係止凹部に係合するという技術手段を採用した。
【００１０】
【発明の実施の形態】
本発明は、以上の技術手段を採用することにより、簡単な構成で、足のつま先の踏み込みでフットレバーを操作することにより、２つのロック作動片を拡縮動させ、縮動の際にロックし、拡動の際に解除できるように、キャスターの両側外側面を挟圧することにより係脱できるようにしたものである。
【００１１】
【実施例】
以下、本発明の実施例を添付図面で詳細に説明する。図１に示したものは、一実施例である横長のキャビネットの概略斜視図で、１はキャビネット本体、２はフットペダル、３は抽斗容器、４は固定キャスター、５はフリーキャスターである。
【００１２】
次に本発明のキャスターロック装置の取り付け部の具体的な実施例について、図２に基づいて説明すると、図１で示した横長のキャビネットの例について説明する。先ず、抽斗の引き出し側を前面として見た場合、底面側から見た所を示す例として、左側の前後のキャスターは固定キャスター４を、右側の前後のキャスターはフリーキャスター５にしたものである。前面側にフットペダル２を設けて、前記固定キャスター４をロックするものが示されている。
【００１３】
図３は、従来技術のキャビネットを示すものである。それは、底面側から見たもので、全てがフリーキャスター５で、その内、左右どちらか前後のキャスターにはストッパーが設けられている。
【００１４】
次に、図１でキャスターロック装置の具体的な実施例について説明する。
図２に示す実施例に対応するものとして、図４〜図９に示すものはキャスターロック装置を操作しないもので、キャスターがロックされていない動かせる状態を示す図である。また、図１０、図１１はキャスターにロックを掛けた状態を示す図である。図１２は、フットペダル２の分解斜視図、図１３はキャスターのロック機構を示すものである。
【００１５】
先ず、図１２に基づいてフットペダル２について説明する。
レバー板６とレバー７、これは一体化されたものでも良いことはいうまでもない。前記レバー板６には、係合孔８が穿設されていて、この係合孔８には回転棒９の一部に形成された一体、あるいは別体の係合部１０が係合するように組み立てられるものである。さらに、前記レバー板６に係合される受け板１１が設けられ、この受け板１１の突起部１２と係脱できるように第１スプリング１３を介して連動具１４が設けられている。
【００１６】
次に、図１３に基づいてキャスターロック装置について説明する。
略Ｌ字形のストッパＡ１５と、略コ字形のストッパＢ１６が各々に穿設された長孔１８を介して段付ネジ１７でスライド方向には動くが、他の方向には動かないように組み立てられている。ストッパＡ１５とストッパＢ１６の間には前記回転棒９の端部２０を挿入組み立て、フットペダル２のレバー７を踏み込むことにより、レバー板６に穿設された係合孔８に係合されている回転棒９の係合部１０を介して、回転棒９を回転させて、この回転により端部２０を回動し、ストッパＡ１５とストッパＢ１６間を図１１に示すようにバネ２１を圧縮してストッパＡ１５を図中では左方に移動させて固定キャスター４の両側面を挟圧する。この挟圧する部分には図１１、図１３からも理解できるようにストッパゴム１９が取り付けられているのでロックがより確実である。
【００１７】
次に、図４〜図９に基づいてキャスターが動く状態、すなわちロックが解除されている状態を説明する。
図１３についての説明で理解できるように、図４に示すキャスターの底面に２個の固定キャスター４を軸受２２を介してシャフト２３で連結し、１個の固定キャスター４をロックすると、他方の残りの固定キャスター４もロックできるものである。
【００１８】
図２の実施例での具体的なキャスターロック装置について説明すると、Ｌ字形のストッパＡ１５とコ字形のストッパＢ１６を反転した状態でストッパＡ１５をストッパＢ１６で覆うように重ね、長孔１８の部分で２箇所段付ネジ１７でキャビネット本体１の底面に固設するものである。
【００１９】
そして、ストッパＡ１５の垂直片部２４と、ストッパＢ１６のストッパＡ１５を重合された時、Ｌ字形のストッパＡ１５の垂直片部２４に対して反対側のストッパＢ１６の垂直片部２５にストッパゴム１９を固設したもので、常時、回転棒９の端部２０が垂直状態になるようにストッパＡ１５とストッパＢ１６間はバネ２１で拡幅されている。その状態が図４〜図６の状態である。
【００２０】
次に、図１２についての説明で理解できるように、キャスターが回転移動でき動かせる状態のフットペダル２は、図７で示す状態であり、第２スプリング２６で常時上方に持ち上げられた状態になっている。そして、フットペダル２のレバー７とレバー板６と受け板１１に関連させて引っ張りバネである第１スプリング１３を介して、連動具１４が軸２７に係合したカム孔２８によって、図７で示すように垂直状態で維持される。
また、回転棒９の係合部１０は、図８、図９からも理解できるように、レバー板６に穿設された係合孔８に係合するように組み合わされている。
【００２１】
次に図１０、図１１からキャスターをロックする状態にしたものについて説明する。
フットペダル２のレバー７を足で踏み付けると（図１０の矢印のように）、レバー板６の係合孔８によって回転棒９の係合部１０を回転棒９の回転中心位置２９を中心に回動させ、第１スプリング１３に連係して連動具１４がカム孔２８を案内にレバー板６に固設された軸２７で回動しながら上動するので、連動具１４のカム孔２８の下方と係合した状態になると同時に連動具１４の下部に設けた係合部３０が、受け板１１の一部に設けた突起部１２と係合して維持される。そうすると、図１１に示すように回転棒９の端部２０が回転中心位置２９を中心に回動して、バネ２１に抗してストッパＡ１５を挟圧して、キャスターの両側面をストッパＡ１５とストッパＢ１６で挟圧してキャスターをロックするものである。
【００２２】
さらに、フットペダル２のレバー７を踏み込むと、回転中心位置２９を中心に、さらに図１０で示す状態からさらに左側が少し上傾動すると、第１スプリング１３と連動具１４のカム孔２８と、レバー板６の軸２７との関係で連動具１４の係合部３０が受け板１１の突起部１２から係合が外れ、同時にレバー７の踏み込みを解除すると図７の状態に戻るものである。
【００２３】
【発明の効果】
本発明は、以上の構成に基づき次の効果を得ることができる。
（１）キャビネット本体の前側下部のフットペダルを踏み込むワンタッチ操作でキャスターの停止、解除を行うことができる極めて操作性の良いものである。
（２）手で操作せずに足（つま先）で行うことができ、しゃがまなくて良いものである。
（３）１つのレバーで、２ヶの固定キャスターをロックすることができる。
【図面の簡単な説明】
【図１】  本発明の実施例で横長キャビネット本体を示す概略全体斜視図である。
【図２】  本発明の図２に示す横長キャビネットの底部から見たキャスターの配置を説明する底面図である。
【図３】  従来のキャビネットにおけるキャスターの配置を説明する底面図である。
【図４】  本発明のキャスターロック装置のロックしていない状態を示す一実施例の正面図である。
【図５】  図４に示す実施例におけるキャスターロック装置の底面図である。
【図６】  図４に示す実施例におけるキャスターロック装置の側面図である。
【図７】  キャスターのロックを解除した動かせる状態のフットペダルを示す側面図である。
【図８】  前記実施例におけるフットペダルの底面図である。
【図９】  前記実施例におけるフットペダルの正面図である。
【図１０】  キャスターをロックした動かせないロック状態のフットペダルを示す側面図である。
【図１１】  図１０に示す実施例のキャスターロック装置のロック状態を示す正面図である。
【図１２】  本発明のフットペダルの分解斜視図である。
【図１３】  本発明のキャスターロック装置の分解斜視図である。
【符号の説明】
１・・・・キャビネット本体          ２・・・・フットペダル
３・・・・抽斗容器                  ４・・・・固定キャスター
５・・・・フリーキャスター          ６・・・・レバー板
７・・・・レバー                    ８・・・・係合孔
９・・・・回転棒                  １０・・・・係合部
１１・・・・受け板                  １２・・・・突起部
１３・・・・第１スプリング          １４・・・・連動具
１５・・・・ストッパＡ              １６・・・・ストッパＢ
１７・・・・段付ネジ                １８・・・・長孔
１９・・・・ストッパゴム            ２０・・・・端部
２１・・・・バネ                    ２２・・・・軸受
２３・・・・シャフト                ２４・・・・ストッパＡの垂直片部
２５・・・・ストッパＢの垂直片部    ２６・・・・第２スプリング
２７・・・・軸                      ２８・・・・カム孔
２９・・・・回転中心位置            ３０・・・・係合部
【図１】
0003883660.tif 000002
【図２】
0003883660.tif 000003
【図３】
0003883660.tif 000004
【図４】
0003883660.tif 000005
【図５】
0003883660.tif 000006
【図６】
0003883660.tif 000007
【図７】
0003883660.tif 000008
【図８】
0003883660.tif 000009
【図９】
0003883660.tif 000010
【図１０】
0003883660.tif 000011
【図１１】
0003883660.tif 000012
【図１２】
0003883660.tif 000013
【図１３】
0003883660.tif 000014